(57)【要約】無線電話には、移動局モデム、ブルートゥース無線周波数ユニット、これらの間のインターフェイス、および他の支援用のハードウエア／ソフトウエアが構成されており、加入者は無線電話を使用して、真にユニバーサルな遠隔制御デバイスを実行することができる。本発明の実施形態には、移動局モデムを、周波数をホップされた信号を送受信するために装備された無線周波数ユニットへ接続するためのインターフェイスであって、移動局モデムとブルートゥース無線周波数ユニットとの間に動作的に接続され、複数の双方向直列データ接続を含む直列バスインターフェイスが構成されている。好ましい実施形態では、移動局モデムとブルートゥース無線周波数ユニットとの間で接続される伝送のためのデータを伝送するための双方向の直列データ接続と、移動局モデムからの有効データのイネーブリング表示を前記無線周波数ユニットにおいて受信するための同期検出器および送信イネーブリングの直列データ接続とがさらに構成されている。【選択図】図３
2004519880.tif 000002
【特許請求の範囲】
【請求項１】
移動局モデムを、周波数をホップされた信号を伝送するために装備された無線周波数ユニットへ接続するためのインターフェイス装置であって、
移動局モデムへ動作的に接続され、複数の双方向の直列データ接続を含むバスインターフェイスと、
第１の方向において前記移動局モデムへ送信するためのデータを送信し、かつ前記移動局モデムからデータを受信するための双方向の直列データ接続と、
外部ソースから、有効データのイネーブリング表示を前記無線周波数ユニットにおいて受信するための、同期検出器および送信イネーブリングの直列データ接続とが構成されているインターフェイス装置。
【請求項２】
第１の信号を送って、タイミングを取り始めるための送信機がさらに構成されている請求項１記載の装置。
【請求項３】
前記第１の信号が、同期検出信号である請求項２記載の装置。
【請求項４】
前記第１のパラメータには、周波数ホップレートが含まれる請求項２記載の装置。
【請求項５】
次の使用可能な時間スロットを複数の状態において指定するためのインターフェイス回路が構成されている請求項２記載の装置。
【請求項６】
前記次の使用可能な時間スロットが、読出し時間スロットである請求項５記載の装置。
【請求項７】
前記次の使用可能な時間スロットが、書込み時間スロットである請求項５記載の装置。
【請求項８】
前記次の使用可能な時間スロットが、読出し時間スロットおよび書込み時間スロットの一方として選択可能である請求項５記載の装置。
【請求項９】
前記インターフェイスが、直列インターフェイスである請求項４記載の装置。
【請求項１０】
前記インターフェイス回路には、受信信号の強度測定モジュールがさらに構成されている請求項５記載の装置。
【請求項１１】
移動局モデムと、周波数をホップされた信号を伝送するために装備された無線周波数ユニットとをインターフェイスさせる方法であって、インターフェイスには、移動局モデムへ動作的に接続され、複数の双方向直列データ接続を含む直列バスインターフェイスと、第１の方向において移動局モデムへ送信するためのデータを送信し、かつ移動局モデムからデータを受信するための双方向直列データ接続と、移動局モデムから外部ソースへ有効データのイネーブリング表示を受信するための、同期検出器および送信イネーブリング直列データ接続とが構成されていて、
ａ）起動信号を、移動局モデムから直列バスインターフェイスを介して送るステップと、
ｂ）直列インターフェイスおよび制御回路内の第１のレジスタへ書込んで、論理をアイドル状態へ設定するステップとが含まれる方法。
【請求項１２】
ステップａ）には、起動信号を無線周波数ユニットへ送ることが含まれる請求項１１記載の方法。
【請求項１３】
ｃ）モデムから直列バスインターフェイスを介して第２のレジスタへ書込んで、少なくとも１つのパラメータを初期設定するステップがさらに含まれる請求項１２記載の方法。
【請求項１４】
ステップｃ）には、モデムから第２のレジスタへ書込むことがさらに含まれる請求項１３記載の方法。
【請求項１５】
ｄ）モデムから無線周波数ユニットへ同期検出信号を送って、受信プロセスを開始するステップがさらに含まれる請求項１４記載の方法。
【請求項１６】
ｅ）アイドル状態を再びイネーブルするための第２の同期信号を送るステップがさらに含まれる請求項１５記載の方法。
【請求項１７】
ステップｅ）において、第２の同期信号がモデムから送られる請求項１６記載の方法。
【請求項１８】
ステップｅ）において、第２の同期信号が無線周波数ユニットへ送られる請求項１７記載の方法。
【発明の詳細な説明】
【０００１】
発明の背景
Ｉ．発明の分野
本発明は、ディジタル無線通信システムに関する。とくに、本発明の好ましい実施形態は、短距離用の無線周波数トランシーバユニット、およびそのインターフェイスに関する。
【０００２】
ＩＩ．関連技術の説明
無線通信の分野では、長距離のデータ移動は高速が標準になりつつある。しかしながら、建物内または室内の短距離のデータ移動は、相当により面倒である。この問題には、無線接続のためのブルートゥースが対処している。ブルートゥースは、無線ＬＡＮのためのＩＥＥＥ８０２．１１の標準規格に基づく無線周波数（Ｒａｄｉｏ Ｆｒｅｑｕｅｎｃｙ， ＲＦ）技術である。この技術では、２．４５ギガヘルツの周波数バンドで動作するとき、１００フィート以内を２メガビット秒までの速度で、デバイスを接続する。
【０００３】
ブルートゥースは、一方の周波数から他方の周波数へ設定された時間間隔で信号をホップするスペクトラム拡散技術を利用したものである。この方法により、電気的にノイズのある環境における動作が可能になり、一方では周波数のホッピングをデータの暗号化と組合せることにより、安全性が向上した。追加の特徴には、自動始動が含まれる。自動始動の特徴により、デバイスは、ユーザの許可がなくても、またはユーザが知らなくても、情報を送受信でき、ユーザの介入は必要なくなった。
【０００４】
短距離におけるデバイス間の空中接続は、よく知られている。一般的なＩｒＤＡの標準規格に基づくタイプのような赤外線リンクにより、ユーザは、既に、互換性のあるデバイス間で、単にポインティングおよびビーミングによって情報を転送することができる。無線ＬＡＮも、長年にわたって使用されてきた。ブルートゥースにより、ユーザは、ケーブルを購入したり、延長したり、または接続する必要無く、幅広い範囲の計算デバイスおよび遠隔通信デバイスを接続できるようになった。このために、アクセスポイントとの高速通信、臨時接続、将来のケーブル交換、および恐らくはデバイス間の自動の、無意識の（ｕｎｃｏｎｓｃｉｏｕｓ）接続への機会が与えられた。ブルートゥースの電力効率のよい無線技術は、電話およびページャ；モデム；ローカルエリアネットワーク（Ｌｏｃａｌ Ａｒｅａ Ｎｅｔｗｏｒｋ， ＬＡＮ）アクセスデバイス；ヘッドセット；ノートブック形、デスクトップ形、およびハンドヘルド形コンピュータに使用することができる。
【０００５】
Ｂｌｕｅｔｏｏｔｈ Ｓｐｅｃｉａｌ Ｉｎｔｅｒｅｓｔ Ｇｒｏｕｐ （Ｂｌｕｅｔｏｏｔｈ ＳＩＧ）のインターネットのウエブページ（ｈｔｔｐ：／／ｗｗｗ．ｂｌｕｅｔｏｏｔｈ．ｃｏｍ）には、より多くの背景の情報が記載されており、本明細書では、その内容をこの出願日のものについて参考文献として取入れている。コスト効率のよい設計と技法で、無線モデムをブルートゥース無線周波数トランシーバユニットへ効率的にインターフェイスさせるための方法および装置が必要とされている。さらに加えて、符号分割多重アクセス（Ｃｏｄｅ Ｄｉｖｉｓｉｏｎ Ｍｕｌｔｉｐｌｅ Ａｃｃｅｓｓ， ＣＤＭＡ）無線モデムをブルートゥース無線周波数トランシーバユニットと効率的にインターフェイスさせることにより、無線電話を、様々な消費者の電子機器および他の周辺機器に対する汎用インターフェイスとして働かせることも必要とされている。
【０００６】
発明の概要
本発明は、ワイヤレス無線電話をブルートゥース（商標）インターフェイスを介して多数の周辺機器へ接続するための新規で向上した方法および装置である。
【０００７】
この方法および装置には、移動局モデムとブルートゥース無線周波数ユニットとの間の最適化されたインターフェイスが含まれる。無線電話には、移動局モデム、ブルートゥース無線周波数ユニット、これらの間のインターフェイス、および他の支援用のハードウエア／ソフトウエアが構成されており、加入者は無線電話を使用して、真にユニバーサルな遠隔制御デバイスを実行することができる。本発明の実施形態には、移動局モデムを、周波数をホップされた信号を送受信するために装備された無線周波数ユニットへ接続するためのインターフェイスであって、移動局モデムとブルートゥース無線周波数ユニットとの間に動作的に接続され、複数の双方向直列データ接続を含む直列バスインターフェイスが構成されている。好ましい実施形態では、移動局モデムとブルートゥース無線周波数ユニットとの間で接続される伝送のためのデータを伝送するための双方向の直列データ接続と、移動局モデムからの有効データのイネーブリング表示を前記無線周波数ユニットにおいて受信するための同期検出器および送信イネーブリングの直列データ接続とがさらに構成されている。
【０００８】
好ましい実施形態の詳細な説明
図１を参照すると、システム１００には、移動局モデム（Ｍｏｂｉｌｅ Ｓｔａｔｉｏｎ Ｍｏｄｅｍ， ＭＳＭ）３００をインターフェイス１２４を介してブルートゥースＲＦユニット（Ｂｌｕｅｔｏｏｔｈ ＲＦ Ｕｎｉｔ， ＢＴ ＲＦＵ）２００に接続したものが構成されている。さらに加えて、システム１００は、発振器（ｏｓｃｉｌｌａｔｏｒ， ＴＣＸＯ）１１２にも接続されており、発振器１１２は、タイミング基準をＭＳＭ３００とＢＴ ＲＦＵ２００の両者へ供給する。ＢＴ ＲＦＵ２００は、ブルートゥースコンパチブル信号を電力増幅器（Ｐｏｗｅｒ Ａｍｐｌｉｆｉｅｒ， ＰＡ）１１０へ供給し、次に信号は送信／受信（Ｔｒａｎｓｍｉｔ／Ｒｅｃｅｉｖｅ， Ｔ／Ｒ）スイッチ１０８へ供給され、その後でＲＦフィルタ１０６を経て、経路１０４を通ってアンテナ１２６へ送られる。
【０００９】
インターフェイス１２４には、ＭＳＭ３００とＢＴ ＲＦＵ２００との間の多数の信号経路が含まれる。双方向の受信（ｒｅｃｅｉｖｅ， Ｒｘ）／送信（ｔｒａｎｓｍｉｔ， Ｔｘ）信号経路１１８は、ＭＳＭ３００とＢＴ ＲＦＵ２００との間でデータを転送する。同期検出／送信イネーブル（Ｓｙｎｃｈｒｏｎｉｚａｔｉｏｎ Ｄｅｔｅｃｔｉｏｎ／Ｔｒａｎｓｍｉｔ Ｅｎａｂｌｅ， Ｓｙｎｃ−Ｄｅｔ／Ｔｘ−Ｅｎ）経路１１６は、Ｓｙｎｃ−Ｄｅｔ／Ｔｘ−Ｅｎ信号をＭＳＭ３００からＢＴ ＲＦＵ２００へ送信するための経路である。Ｓｙｎｃ−Ｄｅｔ／Ｔｘ−Ｅｎ信号は、データ経路１１８に沿ってデータがＭＳＭ３００からＢＴ ＲＦＵ２００へ送信されているのを、ＢＴ ＲＦＵ２００へ知らせる信号である。
【００１０】
電圧基準Ｖｒｅｆは、Ｖｒｅｆ１０２から経路ＶＤＤ ＭＳＭ１１４に沿ってＭＳＭ３００およびＢＴ ＲＦＵ２００の両者へ供給される。経路Ｃｌｋ Ｒｅｆ１２２上では、クロック基準信号がＢＴ ＲＦＵ２００からＭＳＭ３００へ供給される。
【００１１】
ＢＴ ＲＦＵ２００とＭＳＭ３００との間の双方向経路の直列バスインターフェイス（Ｓｅｒｉａｌ Ｂｕｓ Ｉｎｔｅｒｆａｃｅ， ＳＢＩ）１２０上には、直列バスインターフェイスが与えられており、ラインＣｌｋ Ｒｅｆ１２２上に与えられている１２メガヘルツのクロック基準とは非同期である。好ましい実施形態では、３線式ＳＢＩ１２０は、Ｓｙｎｃ−Ｄｅｔ／Ｔｘ−Ｅｎ１１６と共に、ＭＳＭ３００からＢＴ ＲＦＵ２００を制御してプログラムするための主インターフェイスを構成する。
【００１２】
ＳＢＩインターフェイス１２０は、１００キロヘルツないし５メガヘルツのクロックレートで動作する。クロックは、インターフェイスが活動状態で、使用中であるときのみ遷移する。ＭＳＭ３００は、初期化中に、ＢＴ ＲＦＵ２００を設定する。ＢＴ ＲＦＵは、ＳＢＩ１２０を介して特定のアドレスによって識別される。ＭＳＭ３００は、ＴＣＸＯの周波数および他のＲＦＵの特定の機能を設定する。
【００１３】
ＳＢＩおよびＳｙｎｃ−Ｄｅｔ／Ｔｘ−Ｅｎ制御ラインの機能には、ホップ周波数、受信信号強度インジケータ（ｒｅｃｅｉｖｅｄ Ｓｉｇｎａｌ Ｓｔｒｅｎｇｔｈ Ｉｎｄｉｃａｔｏｒ， ＲＳＳＩ）、ＢＴ ＲＦＵのリセット、ＰＬＬロック表示、Ｒｘ−Ｓｅｌ／Ｔｘ−Ｓｅｌ、Ｓｙｎｃ−Ｄｅｔのシグナリング、電力のオン／オフ、などをプログラムすることが含まれる。好ましい実施形態において、ＳＢＩプロトコルは、ＱＵＡＬＣＯＭＭ社が使用する標準の一般ＳＢＩインターフェイスのサブセットである。
【００１４】
ＢＴ ＲＦＵの独立により、直接的な電圧制御発振器（Ｖｏｌｔａｇｅ Ｃｏｎｔｒｏｌｌｅｄ Ｏｓｃｉｌｌａｔｏｒ， ＶＣＯ）の変調制御と、Ｉ／Ｑ変調の独立制御が可能になった。
【００１５】
ＢＴ ＲＦＵは、Ｒｘ経路１１８上で、Ｒｘ経路のデータスライシングを含めて、ＢＴ ＲＦ信号を２．４ギガヘルツから逓減するための必要なタスクを行なう。ＭＳＭ３００では符号回復を行う。このアーキテクチャは、ＭＳＭおよびＢＴ ＲＦＵのオーバーへッドを最小化するように最適化されている。
【００１６】
ＭＳＭ３００は、Ｒｘのオーバーサンプルデータを受取ると、ＢＴ ＲＦＵ２００から事実上独立して、符号回復を行うことができる。同様に、ＢＴ ＲＦＵ２００は、ＭＳＭ３００から事実上独立して、データスライシングを行う。
【００１７】
ＭＳＭの符号回復回路がＢＴパケットとの同期を実現したときに、最適なＲｘ経路の処理におけるＭＳＭ３００とＢＴ ＲＦＵ２００との間の実時間のフィードバック量を信号でＳｙｎｃ−ｄｅｔ／Ｔｘ−ｅｎａｂｌｅ経路に沿ってＲＦＵへ伝える。
【００１８】
ＢＴ ＲＦＵ２００は、Ｔｘ経路１１８上で、生のベースバンドデータをＲＦ周波数（２．４ギガヘルツ）まで事前ＢＴガウス周波数シフトキー（Ｇａｕｓｓｉａｎ Ｆｒｅｑｕｅｎｃｙ Ｓｈｉｆｔ Ｋｅｙｅｄ， ＧＦＳＫ）変調で変換するための必要なタスクを行なう。好ましい実施形態では、ＢＴ ＲＦＵ２００上には、Ｔｘ経路データガウスフィルタ、ディジタル対アナログコンバータ（ｄｉｇｉｔａｌ ｔｏ ａｎａｌｏｇ ｃｏｎｖｅｒｔｅｒ， ＤＡＣ）、および他のＧＦＳＫが位置する。このアーキテクチャは、Ｉ／Ｏの最小化、Ｔｘ経路１１８上の１データおよび１制御ピン／データ経路、およびＲＦフェイズロックループ（Ｐｈａｓｅ Ｌｏｃｋｅｄ Ｌｏｏｐ， ＰＬＬ）を保証するように最適化されている。
【００１９】
図２の例示的なシステムでは、ＢＴ ＲＦＵ２００はブロック図で示されている。ＢＴ ＲＦＵ２００には、インターフェイス１２４が接続されている。ＶｄｄディジタルＩ／Ｏ２２５は、ＶＤＤ ＭＳＭ１１４から基準入力を受信する。低雑音増幅器（Ｌｏｗ Ｎｏｉｓｅ Ａｍｐｌｉｆｉｅｒ， ＬＮＡ）２０５はアンテナ１２６から入力信号を受信し、信号は、ミキサ（ＩＭ ＲＥＦ ＭＩＸ）２１０によって適切な周波数へダウンコンバートされる。ダウンコンバートされた信号は、ＩＦフィルタ２１５を経て、レベル検出器２２０へ送られ、Ｓｙｎｃ−Ｄｅｔ入力を備えたデータスライサ２３０へ送られる。Ｓｙｎｃ−Ｄｅｔ入力を備えたデータスライサ２３０は、Ｓｙｎｃ−Ｄｅｔ／Ｔｘ−Ｅｎライン１１６からの信号によってイネーブルされると、オーバーサンプルされた信号を大幅に削減して、Ｒｘ／Ｔｘデータライン１１８上に置かれているＴ／Ｒデュプレックスブロック２３５へ信号を送る。ＢＴ ＲＦＵからの送信がイネーブルされると、Ｒｘ／Ｔｘデータライン１１８からのデータは、Ｔｘガウスフィルタ２４０へ送られ、ＤＡＣ２４５においてアナログ信号へ変換される。アナログ信号は、次に送信モジュール（Ｔｒａｎｓｍｉｔ Ｍｏｄｕｌｅ， Ｔｘ Ｍｏｄ）２６０へ送られ、フェイズロックループ（Ｐｈａｓｅ Ｌｏｃｋｅｄ Ｌｏｏｐ， ＰＬＬ）２５５および電圧制御発振器（Ｖｏｌｔａｇｅ Ｃｏｎｔｒｏｌｌｅｄ Ｏｓｃｉｌｌａｔｏｒ， ＶＣＯ）２５０を使用してアップコンバートされ、次にドライバ増幅器２８０へ送られ、さらにアンテナ１２６へ送られる。
【００２０】
図３を参照すると、ＭＳＭ３００がブロック図で示されている。インターフェイス１２４は、図２に関連して記載したのと同様のやり方でＭＳＭ３００と接続される。ＶｄｄディジタルＩ／Ｏ３０５は、ＶＤＤ−ＭＳＭ１１４から基準入力を受信する。ＭＳＭコア３２０は、ＢＴ ＲＦＵ２００のためのデータおよび制御情報をフォーマットして、データをＲｘおよびＴｘデータモジュール３１５へ送る。時間追跡および符号収集モジュールが適切な符号を受信すると、同期検出／送信イネーブル（Ｓｙｎｃ−Ｄｅｔ／Ｔｘ−Ｅｎ）経路１１６がイネーブルされる。Ｓｙｎｃ−Ｄｅｔ／Ｔｘ−Ｅｎ経路１１６は、時間追跡および符号収集モジュール３１０へ接続されていて、そこから供給される。ＲｘおよびＴｘデータモジュール３１５は、Ｔｘデータホワイトニングモジュール３２５にも接続されていて、またＴｘデータホワイトニングモジュール３２５はＴ／Ｒデュプレックスブロック３３０との間でデータを送受信する。送信／制御命令は、直列インターフェイスおよび制御回路３３５を介して、ＳＢＩ１２０へ送られる。クロックおよびタイマモジュール３４０は、クロック基準（ｃｌｏｃｋ ｒｅｆｅｒｅｎｃｅ， Ｃｌｋ Ｒｅｆ）信号経路１２２へ接続され、クロッキングを種々の構成要素へ供給する（なお、構成要素の接続は図示されていない）。
【００２１】
例示的説明
本発明の例示的な実施形態では、移動電話（図示されていない）内のＭＳＭデバイス３００とＲＦＵデバイス２００との間にインターフェイスが構成されていて、移動電話は、アドレス帳を同期させるために、ブルートゥース（Ｂｌｕｅｔｏｏｔｈ， ＢＴ）ＲＦリンク１０４を使用して、外部デバイス、例えばＰＣ（図示されていない）と通信する。電話の電源を入れると、ＭＳＭ３００およびＲＦＵ２００はリセットされ、ＢＴのインターフェイスおよび論理はスリープ状態に入る。同様に、電話のソフトウエアは、直列バスインターフェイス（Ｓｅｒｉａｌ Ｂｕｓ Ｉｎｔｅｒｆａｃｅ， ＳＢＩ）からＲＦＵリセットレジスタへの書込みを送り出して、ＭＳＭの論理をリセットすることによって、スリープ状態にする。電話ユーザは、電話上のキーを押すことによって、アドレス帳の同期を要求する。アドレス帳のデータはＲＦリンク上で転送され、その後リンクは接続を解除される。リンクを設定する手続きには、多数のプロトコルステップが必要であるが、ＢＴのインターフェイスおよび論理では、パケットを送受信するための同じシーケンスを何度も繰返す。電話のソフトウエアがパケットを受信するたびに、次のシーケンスが行われる。
【００２２】
ＭＳＭ３００は、ＳＢＩから、直列インターフェイスおよび制御回路２７０内のＣＯＮＦＩＧレジスタ２７２へ書込むことによって、ＲＦＵ２００をスリープ状態から起こす。そして次に、ＢＴインターフェイスおよび論理はアイドル状態になる。
【００２３】
ＭＳＭ３００は、ＳＢＩからＲＦＵ ＨＯＰレジスタ２７４へ書込むと、受信シーケンスを開始し、受信モードおよび周波数を設定する。このようにしてＲＦＵの準備を整え、ＢＴのインターフェイスおよび論理をレディ状態にする。
【００２４】
ＲＦＵのタイミングは、ストローブによってＭＳＭからＲＦＵへＳｙｎｃ Ｄｅｔ／Ｔｘ Ｅｎ１１６のハードウエア信号上で精密に設定され、ＢＴのインターフェイスおよび論理を開始状態へ設定する。ＲＦＵは、開始状態において、この論理を初期設定して、周波数合成器をウオームアップし、１８０ｕｓ後に直列データ流をＭＳＭへ送り始める。
【００２５】
ＭＳＭは、データ流内のデータパケットの同期パターンを検出すると、Ｓｙｎｃ Ｄｅｔ／Ｔｘ Ｅｎ１１６の信号をハイに設定して、ＢＴのインターフェイスおよび論理を実行状態にする。
【００２６】
Ｓｙｎｃ Ｄｅｔ／Ｔｘ Ｅｎ１１６は、受信データパケットの最後に、ローになり、ＢＴのインターフェイスおよび論理はアイドル状態に戻る。
【００２７】
送信シーケンスは、受信シーケンスと類似しているが、ＨＯＰレジスタが送信モードに設定されているところが異なる。電話が受信シーケンスおよび送信シーケンスを使用して、プロトコルメッセージを送って、リンクを設定した後で、同じ受信シーケンスおよび送信シーケンスを使用して、アドレス帳データを転送する。データ転送が完了すると、ＢＴリンクは遮断され、ＢＴのインターフェイスおよび論理はスリープ状態へ戻る。
【００２８】
図４は、３線式直列バスインターフェイス（ＳＢＩ）１２０のタイミング図である。好ましい実施形態に示されているように、信号ＳＢＣＫはクロック信号を迅速に発振し、信号ＳＢＣＫは、信号ＳＢＳＴが論理をローに維持しているときに、信号ＳＢＳＴと論理的に結合されると、データ信号およびラインＳＢＤＴを介してデータ転送をイネーブルする。
【００２９】
ＳＢＩ書込みレジスタは、０にリセットされ、ＢＴ ＲＦＵ２００が電源投入リセット状態を検出することによって、またはＳＢＩリセットレジスタへ書込むことによって、双方向ピンは入力状態になる。これらのリセットにより、ＢＴ ＲＦＵ２００はローの電力モードになるが、一方でＳＢＩインターフェイスは依然として動作状態である。ＢＴ ＲＦＵの書込みレジスタの状態は、電力が供給されている限りは、クロックの状態とは関係なく、維持される。
【００３０】
次の表１および２は、ＢＴ ＲＦＵ内のＳＢＩ書込みレジスタについて示している。
【００３１】
【表１】
2004519880.tif 000003
【００３２】
【表２】
2004519880.tif 000004
【００３３】
【表３】
2004519880.tif 000005
【００３４】
ＳＢＤＴの隣りに示されている情報列は、デバイスのアドレス、レジスタのアドレス、および最上位ビットで最初に送信される各フィールドについてのデータである。制御データは、１回に１バイトづつ、ＭＳＭ３００とＢＴ ＲＦＵ２００との間を転送される。制御ビットは、ＣＬＫサイクル中の２８番目のビットにおいて有効になる。スレーブデバイス（ＢＴ ＲＦＵ）からの状態データが読出されると、データピンは、表３のデータフィールドビット１１の８クロックサイクル中のみ、ＢＴ ＲＦＵによってドライブされる。
【００３５】
図５に関して、システム１００の正規の連続動作が、開始５０５から、詳しく記載されている。正規の動作中は、ＳＢＩ１２０上では、次の機能が行われる。ステップ５１０では、１２メガヘルツの基準をオンにして、ＭＳＭ３００のコアへ送る。ステップ５２０では、Ｓｙｎｃ−Ｄｅｔ／Ｔｘ−Ｅｎ経路を使用して、開始スロットの動作のタイミングを取り始める。ステップ５３０では、ＢＴ ＲＦＵ２００内の局部発振器（ＰＬＬ）のホップ周波数を、ＭＳＭ３００によってプログラムする。ステップ５４０では、ＰＬＬロックの表示を読出すオプションのステップに取り掛かる。ステップ５５０では、次の使用可能な時間スロットは、ユニット全体から、受信（ｒｅｃｅｉｖｅ， Ｒｘ）または送信（ｔｒａｎｓｍｉｔ， Ｔｘ）の何れかとして指定される。次に、ステップ５６０では、ＢＴ ＲＦＵはリセットされ、ステップ５７０では、受信信号強度インジケータ（Ｒｅｃｅｉｖｅ Ｓｉｇｎａｌ Ｓｔｒｅｎｇｔｈ Ｉｎｄｉｃａｔｏｒ， ＲＳＳＩ）が読出される。最後に、ステップ５８０では、電力増幅器（Ｐｏｗｅｒ Ａｍｐｌｉｆｉｅｒ， ＰＡ）に対する送信（ｔｒａｎｓｍｉｔ， Ｔｘ）電力制御が設定され、次に制御は、終了５８５へ進む。もちろん、制御は開始へ戻り、何らかの動作または状態により、処理が中断されるまで、処理は無限に続けられる。
【００３６】
以上の好ましい実施形態についての説明は、当業者が本発明を生成または使用できるように与えられている。これらの実施形態に対する種々の変更は、当業者には容易に明らかであり、本明細書において定義されている一般的な原理は、発明の機能を使用することなく、他の実施形態に応用してもよい。したがって、本発明は、本明細書に示された実施形態に制限されることではなく、本明細書において開示されている原理および新規な特徴と一致する最も幅広い範囲にしたがうことを意図されている。
【図面の簡単な説明】
【図１】本発明の好ましい実施形態が位置し、かつ動作するモデム／ＲＦＵシステムを示す図。
【図２】ブルートゥース無線周波数ユニットおよび移動局モデムへの関係付けられたインターフェイスとを示す図。
【図３】移動局モデムおよびブルートゥース無線周波数ユニットへの関係付けられたインターフェイスとを示す図。
【図４】ブルートゥース無線周波数ユニットと移動局モデムとの間の直列バスインターフェイスのタイミング図。
【図５】ブルートゥース無線周波数ユニットと移動局モデムとの間のインターフェイスの動作方法を示すフローチャート。
【図１】
2004519880.tif 000006
【図２】
2004519880.tif 000007
【図３】
2004519880.tif 000008
【図４】
2004519880.tif 000009
【図５】
2004519880.tif 000010
【国際公開パンフレット】
2004519880.tif 000011
2004519880.tif 000012
2004519880.tif 000013
2004519880.tif 000014
2004519880.tif 000015
2004519880.tif 000016
2004519880.tif 000017
2004519880.tif 000018
2004519880.tif 000019
2004519880.tif 000020
2004519880.tif 000021
2004519880.tif 000022
2004519880.tif 000023
2004519880.tif 000024
2004519880.tif 000025
2004519880.tif 000026
2004519880.tif 000027
2004519880.tif 000028
2004519880.tif 000029
【国際公開パンフレット（コレクトバージョン）】
2004519880.tif 000030
2004519880.tif 000031
【国際調査報告】
2004519880.tif 000032
2004519880.tif 000033
2004519880.tif 000034